(57)【要約】      （修正有）【課題】嵩張ることがなく、また、貼着テープ等の止着手段を介することなく、簡単かつ気軽に頭の顳や耳後部のツボを押圧すべく装着できると共に、肩凝りや頭痛を軽減することができる有用な健康装身具を提供する。【解決手段】弾性を有するバンド本体１と、該バンド本体１に取り付けられた刺激体(経路刺激体)２とを備える。バンド本体１は、弾性線材１ａと外装部材１ｂと耳用線材１ｃとを備える。刺激体２は、手の形を模した押圧部材２ａにゲルマニウム等の鉱石を混入し若しくは付着せしめる。ゲルマニウム等の鉱石は、鉱石から放出される電子イオンが皮膚の経穴経路に刺激を与えることで、生体電気の異常電位を正常に調整することができる。マイナスイオンを発する鉱石としては、例えば、ゲルマニウムの他、セレニウム、トルマリン、貴陽石、麦飯石又は健緑石等の鉱石が挙げられる。【選択図】図１
0003116933.tif 000002
【実用新案登録請求の範囲】
【請求項１】
身体の必要部位に着脱自在に装着されるバンド本体と、該バンド本体に装着された刺激体とを備えてなることを特徴とする健康装身具。
【請求項２】
前記刺激体は、身体のツボ、顳及び／又は耳の後部等の必要部位に当てられるべくバンド本体に取り付けられたゲルマニウム等の鉱石であることを特徴とする請求項１に記載の健康装身具。
【請求項３】
前記バンド本体は、弾性を有する線材からなり、一部又は全部がシリコンゴム等の外装部材で被装されていることを特徴とする請求項１又は２に記載の健康装身具。
【考案の詳細な説明】
【技術分野】
【０００１】
本考案は主として肩凝りに効き目のある健康装身具の改良に関し、更に詳しくは、頭の顳や耳の後を押圧すべく手軽に装着できて、肩凝りや頭痛を軽減することができる有用な健康装身具に関する。
【背景技術】
【０００２】
一般的に、人間の生存活動は、生理医学的に診ると、体内の神経細胞による情報伝達により行われており、その伝達の仕組みは電気信号によってなされている。従って、その伝達の過程において異常が起きた時には種々の病気が発生し、更には体内に何か異常が起きた時は異常な信号が伝達されることが電子細胞医学においても知られており、常套法として人体の皮膚の経穴経路、痛み等の部位に、シリコン等の半導体や皮膚当接電極体（以下、単に健康装身具という）を当接して、自律神経等の調整を図ることが行われている。
【０００３】
従来、斯かる健康装身具としては、例えば、電気治療機器から発せられる電流を人体に対して通電させる皮膚当接電極体を備え、該皮膚当接電極体に半導体を介して前記電流を人体に対して通電させるように構成されている(例えば、特許文献１参照)。
【特許文献１】特開昭５４−１５８０８８号公報
【考案の開示】
【考案が解決しようとする課題】
【０００４】
しかしながら、上述した従来の健康装身具にあっては、皮膚当接電極体及び半導体が、ケース状（箱状）の外装体に収納されるタイプであるため、嵩張ってしまい、携行に不便であり、また、貼着テープ等の止着手段を使用しないと身体に固定できないといった問題があり、装飾具としての装飾性にも乏しいといった欠点を有するものである。
【０００５】
本考案はこのような問題点に鑑みてなされたもので、嵩張ることがなく、また、貼着テープ等の止着手段を介することなく、簡単かつ気軽に頭の顳や耳後部のツボを押圧すべく装着できると共に、肩凝りや頭痛を軽減することができる有用な健康装身具を提供することを目的とする。
【課題を解決するための手段】
【０００６】
上述の如き従来の問題点を解決し、所期の目的を達成するため本考案の要旨とする構成は、身体の必要部位に着脱自在に装着されるバンド本体と、該バンド本体に装着された刺激体とを備えてなる健康装身具に存する。
【０００７】
また、前記刺激体は、身体のツボ、顳及び／又は耳の後部等の必要部位に当接されるべくバンド本体に取り付けられたゲルマニウム等の鉱石であるのが良い。
【０００８】
前記バンド本体は、弾性を有する線材からなり、一部又は全部をシリコンゴム等の外装部材で被装するのが良い。
【考案の効果】
【０００９】
本考案は上述のように構成され、身体の必要部位に着脱自在に装着されるバンド本体と、該バンド本体に装着された刺激体とを備えてなることによって、止着手段を使用することなく誰にでも簡単に変幻自在に身体に止めることができると共に、締付感がなく身体に優しくフィットできるといった効果を奏するものである。
【００１０】
また、前記刺激体が、身体のツボ、顳及び／又は耳の後部等の必要部位に当接されるべくバンド本体に取り付けられたゲルマニウム等の鉱石であることによって、頭にバンド本体を取り付けるだけで簡単に顳や耳の後のツボを押圧すべく装着できると共に、前記ゲルマニウム等の鉱石で皮膚の顳や耳のツボにある経穴経路の外輪に刺激を与え、経路部位を通じて自律神経細胞や末梢神経細胞の異常電位を正常に調整できるため、血液の活性化及び循環が良好になり、肩凝りや頭痛がほぐれるなどの優れた効果を奏するものである。
【００１１】
前記バンド本体が、弾性を有する線材からなり、一部又は全部がシリコンゴム等の外装部材で被装されていることによって、身体に装着した際、違和感なく、かつ、より優しくフィットできるといった効果を奏する。
【００１２】
このように本考案の健康装身具は、嵩張ることなく、また、貼着テープ等の止着手段を介することなく簡単かつ気軽に頭等の必要部位に装着できるため、携行に便利である他、自律神経、末梢神経の調整、刺激を図り、肩凝りや頭痛を軽減することができる有用な健康装身具を提供できるものであり、また、構成が単純であるため大量生産に適し、価格も低廉なものとして需要者に供給できるなど、本考案を実施することはその実益的価値が甚だ大である。
【考案を実施するための最良の形態】
【００１３】
外装部材で被装されたベルト本体の両遊端側を二つに分岐せしめて、頭の顳と耳の後部に、ゲルマニウム等の鉱石を付設した刺激体を同時に圧接できるように位置決めする。
【実施例】
【００１４】
次に、本考案の実施の一例を図面を参照しながら説明する。図中Ａは、本考案に係る健康装身具であり、この健康装身具Ａは、弾性を有するバンド本体１と、該バンド本体１に取り付けられた刺激体(経路刺激体)２とを備えている。
【００１５】
バンド本体１は、身体の一部(必要部位)に、特に、頭等の局部に弾性狭持力を利用して巻き止めし易いように、例えば、チタン（Ｂ−Ｔ）等の如く弾性を有する線材(以下、単に弾性線材という)１ａを使用している。また、この弾性線材１ａは、外装部材１ｂを被装してなると共に、耳の後部位置へと分岐せしめた耳用線材１ｃを備えている。
【００１６】
因に、前記外装部材１ａとしては、例えば、シリコン、ゴム、ポリエチレン、ポリプロピレン、不織布、紙材等の軟性材からなり、好ましくはシリコンで成形された軟性チューブを使用するのが良い。
【００１７】
刺激体２は、手の形を模した押圧部材２ａにゲルマニウム等の鉱石（図示せず）を混入し若しくは付着してなるものである。押圧部材２ａは、軟性の合成樹脂材からなり、この成形樹脂材料の中に予めゲルマニウム等の鉱石を混入して手の形に成型したり或いは後付で押圧部材２ａの表面から鉱石が直接肌に触れるように付設しても良い。
【００１８】
因に、ゲルマニウム等の鉱石は、鉱石から放出される電子イオンが皮膚の経穴経路に刺激を与えることで、生体電気の異常電位を正常に調整することができる。マイナスイオンを発する鉱石としては、例えば、斯かるゲルマニウムの他、セレニウム、トルマリン、貴陽石、麦飯石又は健緑石等の鉱石が挙げられる。
【００１９】
また、押圧部材２ａに取り付けられる鉱石（マイナスイオンを発する鉱石）は、ゲルマニウム、セレニウム、トルマリン石、貴陽石、麦飯石又は健緑石の何れか１種類の鉱石に限らず、２種類以上の鉱石であっても良い。
【００２０】
尚、刺激体(経路刺激体)２は、このゲルマニウム等の鉱石に限定されることなく、金、銀、銅、錫等の金属材若しくはセラミック、マグネット又はこれらの全て又は何れかを選択又は組み合わせたものを使用しても良い。
【００２１】
このように構成される本考案の健康装身具Ａは、バンド本体１の弾性に抗して拡げるだけで、頭、肩、手首、足首に巻き付けるべく簡単に装着できると共に、時間の経過と共に、刺激体２を構成するゲルマニウム鉱石のイオン（電子特性）が皮膚の経穴経路の外輪に刺激を与えるため、経路部位を通じて自律神経細胞や末梢神経細胞の異常電位を正常に調整し、血液の活性化及び循環を良好になし、自然治癒力をも高めることができる。
【００２２】
特に、頭に「輪」を作るように軽く巻き止めるだけで、顳と耳の後のツボに刺激を与え、機能回復に役立つと共に、頭痛や肩凝りなどが解消する。
【００２３】
また、手首に「輪」を作るように軽く巻き止めるだけで、心臓、心包、肺、大腸、三隹、小腸等に刺激を与え、機能回復に役立つと共に、痛みや肩凝りなどが解消する。
【００２４】
更に、足首に同様に巻き止めるだけで、腎臓、脾臓、肝臓、胃、胆嚢、膀胱等に刺激を与え、機能回復に役立つと共に、手首同様に、痛みや肩凝りなども解消する。
【００２５】
而して、痛みの伝達システムは、人体に痛みが発生する際、痛みの活動電位が生じ、それが痛みのインプルスとして痛みの中枢神経へと伝達されることが解明されているが、本考案の健康装身具Ａを装着することにより、痛みが軽減、治癒するのは、その異常な電気信号や伝達が、ゲルマニウム等の鉱石から放出される金属イオンの電子特性が皮膚から体内に導入されて神経細胞の異常電位を正常に調整するからだと推測される。
【００２６】
また、肩凝りは、末梢神経の刺激により乳酸が発生し、筋肉が緊張を起こすことに起因して血液の循環が悪くなることが原因といわれているが、本考案の健康装身具Ａを装着することにより、電子刺激（イオンの電子特性）により末梢神経に刺激を与え、乳酸が分解されると共に、血液の活性化及び循環を良好になすことにより、肩凝りを解消できるのである。
【００２７】
因に、装着時間としては、個人差はあるものの、頭や手首では、約１０〜１５分程、足首では１５〜２０分程度が好ましい。尚、神経反射は各自違うため、ユーザーが自分で使用時間を調整することが大事であり、統計的には週２回程度の使用でも良好な効果が得られる。
【００２８】
尚、本考案はこれら実施例に限定されることなく、本考案の目的の範囲内で自由に設計変更し得るものであり、本考案はそれらの全てを包摂するものである。例えば、本実施例では、バンド本体１を線状に形成しているが、これに限定されることなく、もっと幅を持たせて帯状に形成したり、時計バンド的に使用したり或いは刺激体２をキャラクターの象形（デザイン）に模して成形しても良い。
【００２９】
また、耳用線材１ｃは必ずしも必要ではなく、バンド本体１を分岐のないストレートな弾性線材１ａで形成し顳部分のみに押圧部材２ａを介してゲルマニウムを当接させても良い。
【００３０】
更に、本実施例では、頭に着用する場合しか説明していないが、これに限定されることなく、大きさを変えることで、指、手首、足首、太腿、肩、頸などに取り付できることは云うまでもない。
【００３１】
因に、本明細書にて言及している「バンド本体」とは、線状、紐状、帯状のみならず、細長く布状、網状、管状、板状、環状等に成形されたものを総称するものであり、頭のみならず、肩、足首、手首等に着脱自在に装着できる全ての形状、形態を包摂するものである。
【図面の簡単な説明】
【００３２】
【図１】本考案に係る健康装身具を示す斜視図である。
【図２】本考案に係る健康装身具を示す平面図である。
【図３】同健康装身具を頭に装着した状態を示す説明図である。
【符号の説明】
【００３３】
１  バンド本体
１ａ  弾性線材
１ｂ  外装部材
１ｃ  耳用線材
２  刺激体（経路刺激体）
２ａ  押圧部材
【図１】
0003116933.tif 000003
【図２】
0003116933.tif 000004
【図３】
0003116933.tif 000005